(57)【特許請求の範囲】
【請求項１】
ワイヤレスネットワークにおいて使用される通信システムであって、
前記通信システムと別の通信システムとの間の通信の一部のために音声を示す複数のパケットを提供するように構成されている音声モジュールと、ここにおいて、前記通信は、パケット時間にまたがっており、前記パケットは、少なくとも、決定的音声を示す複数の決定的パケットを含んでいる、および
前記音声モジュールに結合されている送受信機であって、次のことを起こさせる送受信機：
前記決定的パケットが送信のために運ばれることと、および
（1）非決定的音声を示す複数の第1の非決定的パケットが、決定的パケットの送信と次の決定的パケットの送信との間の時間の全部より少ない時間を表わすように、および、（2）前記決定的パケットのうちの1つまたは前記第1の非決定的パケットのうちの1つが前記送受信機によって送信のために運ばれることなく、閾値数より多いパケット時間が通過しないように、前記第1の非決定的パケットが送信のために運ばれること、
を具備し、
前記送受信機は、前記通信内のP番目ごとのパケットが送信のために運ばれることを確実にするように構成されており、
前記送受信機は、現在のパケットが非決定的パケットである場合のみ、現在のパケットが前記通信内のP番目のパケットであるかどうか判断するように構成されており、
前記送受信機は、前記現在のパケットが前記通信内のP番目のパケットであるかどうか判断するために、周期値Ｐをワイヤレスで受信し、前記値Pを使用するように構成されており、
前記値Pは、チャネル特性に依存して時間と共に変更される、
システム。
【請求項２】
前記音声モジュールは、前記第1の非決定的パケットを前記送受信機に供給するように構成され、前記第1の非決定的パケットは、前記通信システムと前記別の通信システムとの間の通信内の実際の音声を表わす、請求項１のシステム。
【請求項３】
前記音声モジュールは、前記決定的パケットと、前記第1の非決定的パケットと、および非決定的音声を示す第2の非決定的パケットとを供給するように構成され、前記送受信機は、前記第2の非決定的パケットの送信を禁止するように構成されている、請求項２のシステム。
【請求項４】
前記音声モジュールは、供給されるパケットが決定的音声または非決定的音声のいずれであるかの表示を供給するように構成されている、請求項１のシステム。
【請求項５】
前記音声モジュールは、前記決定的パケットおよび前記第1の非決定的パケットのみを前記送受信機に供給するように構成されている、請求項１のシステム。
【請求項６】
前記音声モジュールは、前記決定的パケットのみを前記送受信機に供給するように構成され、前記送受信機は、前記第1の非決定的パケットを生成するように構成されている、請求項１のシステム。
【請求項７】
ワイヤレスネットワークにおいて使用される通信システムであって、
前記通信システムと別の通信システムとの間の通信の一部のために音声を示す複数のパケットを提供するように構成されている音声モジュールと、ここにおいて、前記通信は、パケット時間にまたがっており、前記パケットは、少なくとも、決定的音声を示す複数の決定的パケットを含んでいる、および
前記音声モジュールに結合されている送信手段であって、
前記決定的パケット、および
（1）非決定的音声を示す複数の第1の非決定的パケットが、決定的パケットの送信と次の決定的パケットの送信との間の時間の全部より少ない時間を表わすように、および、（2）前記決定的パケットのうちの1つまたは前記第1の非決定的パケットのうちの1つが前記送受信機によって送信のために運ばれることなく、閾値数より多いパケット時間が通過しないように、前記第1の非決定的パケット、
を送信する送信手段と、
を具備し、
前記送信手段は、前記通信内のP番目ごとのパケットが送信のために運ばれることを確実にすることをさらなる目的とし、
前記送信手段は、現在のパケットが非決定的パケットである場合のみ、現在のパケットが前記通信内のP番目のパケットであるかどうか判断するように構成されており、
前記システムは、前記現在のパケットが前記通信内のP番目のパケットであるかどうか判断するために、周期値Ｐをワイヤレスで受信し、前記値Pを使用するように構成されており、
前記値Pは、チャネル特性に依存して時間と共に変更される、
システム。
【請求項８】
前記音声モジュールは、前記第1の非決定的パケットを前記送受信機に供給するように構成されており、前記第1の非決定的パケットは、前記通信システムと前記別の通信システムとの間の前記通信内の実際の音声を表わす、請求項７のシステム。
【請求項９】
前記音声モジュールは、前記決定的パケットと、前記第1の非決定的パケットと、および非決定的音声を示す第2の非決定的パケットとを供給するように構成されており、前記送受信機は、前記第2の非決定的パケットの送信を禁止するように構成されている、請求項８のシステム。
【請求項１０】
前記音声モジュールは、供給されたパケットが決定的音声または非決定的音声のいずれであるかの表示を供給するように構成されている、請求項７のシステム。
【請求項１１】
前記音声モジュールは、前記決定的パケットおよび前記第1の非決定的パケットのみを前記送受信機に供給するように構成されている、請求項７のシステム。
【請求項１２】
前記音声モジュールは、前記決定的パケットのみを前記送受信機に供給するように構成されており、前記送受信機は、前記第1の非決定的パケットを生成するように構成されている、請求項７のシステム。
【請求項１３】
ワイヤレス通信ネットワークにおいて音声を表わす複数のパケットを選択的に送信する方法であって、
前記通信ネットワークにおけるデバイス相互間のマルチサイド通信の1つのサイドの音声を表わす複数のデータパケットを供給することと、ここにおいて、前記データパケットは、決定的音声を表わす複数の第1のデータパケットと非決定的音声を表わす複数の第2のデータパケットとを含んでいる、
所望の送信タイミングに基づいて、前記第2のデータパケットのうちの1つによって占有される前記会話内の時間の期間中に第3のデータパケットを送信すべきかどうか判断することと；
前記所望の送信タイミングに合致するとき前記第3のデータパケットを送信することと、および；
前記第1のデータパケットを送信することと
を具備し、
前記所望の送信タイミングに合致するとき前記第3のデータパケットを送信することは、前記第3のデータパケットがカウンタを使用して判断されるものとしての前記通信内のP番目のパケットであるとき前記第3のデータパケットを送信することを具備し、
前記方法は、前記第3のデータパケットが前記通信内のP番目のパケットであるかどうか判断するために、周期値Ｐをワイヤレスで受信し、前記値Pを使用することをさらに具備し、
前記値Pは、チャネル特性に依存して時間と共に変更される、
方法。
【請求項１４】
前記第3のデータパケットは、前記会話の実際の音声を表わす第2のデータパケットである、請求項１３の方法。
【請求項１５】
前記第3のデータパケットを生成することをさらに具備する請求項１３の方法。
【請求項１６】
前記第3のデータパケットは、次のもののうちの1つである、請求項１５の方法：
すべて0、すべて1、新しく生成されたサイレンスディスクリプタ、以前に生成されたサイレンスディスクリプタの繰り返し、以前に送信された背景パケットの繰り返し。
【請求項１７】
前記所望の送信タイミングに合致するとき前記第3のデータパケットを送信することは、別の第3のデータパケットの前記送信または前記第1のデータパケットのうちの1つの前記送信の後、前記第2のデータパケットによって占有される時間の個数が予め定めた数に達するとき、前記第3のデータパケットを送信することを具備する、請求項１３の方法。
【請求項１８】
前記通信内の現在のデータパケットが第1のデータパケットまたは第2のデータパケットのいずれであるかの表示を供給することをさらに具備する請求項１３の方法。
【請求項１９】
プロセッサ可読命令を具備するプロセッサ可読媒体であって、前記命令は、次のことをプロセッサにさせるように構成されている、プロセッサ可読媒体：
前記通信ネットワークにおけるデバイス相互間のマルチサイド通信の1つのサイドの音声を表わす複数のデータパケットを供給することと、ここにおいて、前記データパケットは、決定的音声を表わす複数の第1のデータパケットと非決定的音声を表わす複数の第2のデータパケットとを含んでいる、
所望の送信タイミングに基づいて、前記第2のデータパケットのうちの1つによって占有される前記会話内の時間の期間中に第3のデータパケットを送信すべきかどうか判断することと；
前記所望の送信タイミングに合致するとき前記第3のデータパケットを送信することと、および；
前記第1のデータパケットを送信すること、
ここにおいて、前記所望の送信タイミングに合致するとき前記第3のデータパケットを送信することを前記プロセッサにさせるように構成されている前記命令は、前記通信内のP番目のパケットを判断することと、および前記第3のデータパケットがP番目のパケットであるとき前記第3のデータパケットを送信することとを前記プロセッサにさせるように構成されており、
前記プロセッサ可読媒体は、前記第3のデータパケットが前記通信内のP番目のパケットであるかどうか判断するために、周期値Ｐをワイヤレスで受信し、前記値Pを使用することを前記プロセッサにさせるように構成されている命令をさらに具備し、
前記値Pは、チャネル特性に依存して時間と共に変更される。
【請求項２０】
前記第3のデータパケットは、前記会話の実際の音声を表わす第2のデータパケットである、請求項１９のプロセッサ可読媒体。
【請求項２１】
前記第3のデータパケットを生成することを前記プロセッサにさせるように構成されている命令をさらに具備する請求項１９のプロセッサ可読媒体。
【請求項２２】
前記第3のデータパケットは、次のもののうちの1つである、請求項２１のプロセッサ可読媒体：
すべて0、すべて1、新しく生成されたサイレンスディスクリプタ、以前に生成されたサイレンスディスクリプタの繰り返し、以前に送信された背景パケットの繰り返し。
【請求項２３】
前記所望の送信タイミングに合致するとき前記第3のデータパケットを送信することを前記プロセッサにさせるように構成されている前記命令は、別の第3のデータパケットの前記送信または前記第1のデータパケットのうちの1つの前記送信の後、前記第2のデータパケットによって占有される時間の個数が予め定めた数に達するとき、前記第3のデータパケットを送信することを前記プロセッサにさせるように構成されている、請求項１９のプロセッサ可読媒体。
【請求項２４】
前記通信内の現在のデータパケットが第1のデータパケットまたは第2のデータパケットのいずれであるかの表示を供給することを前記プロセッサにさせるように構成されている命令をさらに具備する請求項１９のプロセッサ可読媒体。
【発明の詳細な説明】
【関連出願の参照】
【０００１】
本件出願は、2008年12月2日付けの「非連続送信のための方法」と題する米国仮出願No.61/119,318に基づいて利益（優先権）を主張するものであって、当該仮出願は、あらゆる目的のために参照によって本件出願に組み込まれている。
【背景技術】
【０００２】
ワイヤレス通信システムは、音声、ビデオ、パケットデータ、メッセージ、ブロードキャストなどのような様々な通信サービスを提供するために広く展開されている。これらのワイヤレスシステムは、時間、周波数、電力等の利用可能なシステムリソースを共有することによって複数のユーザをサポートできる多元接続システムであってもよい。そのような多元接続システムの例は、符号分割多元接続（CDMA）システム、時分割多元接続（TDMA）システム、周波数分割多元接続（FDMA）システム、直交FDMA（OFDMA）システムおよびシングルキャリアFDMA（SC-FDMA）システムを含んでいる。
【０００３】
ワイヤレス通信システムは、多数のモバイル端末のための通信をサポートできる多数の基地局を含んでもよい。このシステムは、マルチプルキャリア上でのオペレーションをサポートすることができる。各キャリアは、特定の中心周波数および特定の帯域幅に関係づけられることができる。各キャリアは、当該キャリア上でのオペレーションをサポートするために、パイロットおよびオーバーヘッド情報を搬送することができる。各キャリアはまた、当該キャリア上で作動する端末に関するデータを搬送することもできる。端末と基地局との間の送信のうちのあるものは、通信システム内の他の送信と干渉を引き起こす可能性があり、また通信システム内の他の送信からの干渉を観察する可能性もある。このような干渉は、関係するすべての基地局のパフォーマンスに悪い影響を及ぼす可能性がある。
【０００４】
典型的には、双方向会話の場合、各々の当事者は、通信システムが当事者の音声を送信するある時間（例えば、通話時間の半分未満）の期間中、発声し、通信システムが沈黙または背景ノイズを送信する他の時間の期間中、休んでいる。沈黙（または背景ノイズ）の期間中の非頻繁送信または非連続送信（DTX）は、会話の知覚的品質にほとんど影響を及ぼすことなく、送信間干渉／セル間干渉を減らし（したがってシステムのキャパシティを潜在的に大きくし）、会話のために使用されるモバイルユニットのバッテリー電力を節約するという効果をもたらす。
【０００５】
典型的なDTXスキームは、音声活動検波（VAD）を使用するスピーチ符号化器によって実現される。VADを使用することによって、符号化器は、アクティブスピーチを背景ノイズから区別することができる。符号化器は、送信用の目標ビットレートパケットで各アクティブスピーチセグメント（典型的には20ミリ秒）を符号化し、相対的に小さなサイズのパケットで決定的背景ノイズセグメント（同じく20ミリ秒）を表現する。この小さなパケットは、沈黙を表わすサイレンスディスクリプタ（SID）であってもよい。決定的背景ノイズセグメントは、発話の噴出（a talk spurt）のすぐ後に続く背景ノイズセグメント、または特性（characteristics）が前の背景ノイズセグメントの特性と著しく異なる背景ノイズセグメントであってもよい。その他のタイプの背景ノイズセグメント（または非決定的背景ノイズセグメント）は、0ビットで表記されるもの、またはブランクとされるもの、または送信されないもの、または送信抑制されるものである。出力パケットのパターン（すなわち、アクティブセグメント、続いて決定的背景ノイズセグメント、続いて非決定的背景ノイズセグメント）がスピーチ符号化器の入力またはソースに純粋に依存しているところから、そのようなDTXスキームは、ソース制御のDTXスキームと呼ばれている。
【発明の概要】
【０００６】
ワイヤレスネットワークにおいて使用される本件開示に準拠している例示的通信システムは、次のものを含んでいる：通信システムと別の通信システムとの間の通信の一部のために音声を示すパケットを供給するように構成されている音声モジュールと、ここにおいて、前記通信は、パケット時間にまたがっており、前記パケットは、少なくとも、決定的音声を示す決定的パケットを含んでいる、および前記音声モジュールに結合されている送受信機であって、次のことを起こさせる送受信機：前記決定的パケットが送信のために運ばれることと、および非決定的音声を示す第1の非決定的パケットが送信のために運ばれることであって、そのことによって、（1）前記第1の非決定的パケットが、決定的パケットの送信と次の決定的パケットの送信との間の時間の全部より少ない時間を表わし、（2）前記決定的パケットのうちの1つまたは前記第1の非決定的パケットのうちの1つが前記送受信機によって送信のために運ばれることなく通過するパケット時間の個数が閾値以下であるようにされること。
【０００７】
そのような通信システムの実施形態は、次の特徴の1つまたは複数を含んでもよい。音声モジュールは、第1の非決定的パケットを送受信機に供給するように構成されている。ここにおいて、第1の非決定的パケットは、通信システムと別の通信システムとの間の通信内の実際の音声を表わしている。音声モジュールは、決定的パケットと、第1の非決定的パケットと、および非決定的音声を示す第2の非決定的パケットとを供給するように構成されており、送受信機は、第2の非決定的パケットの送信を禁止するように構成されている。音声モジュールは、供給されるパケットが決定的音声または非決定的音声のいずれであるかの表示を供給するように構成されている。音声モジュールは、決定的パケットおよび第1の非決定的パケットのみを送受信機に供給するように構成されている。音声モジュールは、決定的パケットのみを送受信機に供給するように構成されており、送受信機は、第1の非決定的パケットを生成するように構成されている。送受信機は、通信内のP番目ごとのパケットが送信のために運ばれることを確実にするように構成されている。送受信機は、現在のパケットが非決定的パケットである場合のみ、現在のパケットが通信内のP番目のパケットであるかどうか判断するように構成されている。
【０００８】
ワイヤレスネットワークにおいて使用される本件開示に準拠している別の例示的な通信システムは、次のものを含んでいる：通信システムと別の通信システムとの間の通信の一部のために音声を示すパケットを供給するように構成されている音声モジュールと、ここにおいて、前記通信は、パケット時間にまたがっており、前記パケットは、少なくとも、決定的音声を示す決定的パケットを含んでいる、および前記音声モジュールに結合されている送信手段であって、次のものを送信する送信手段：決定的パケット、および；非決定的音声を示す第1の非決定的パケット：その送信によって、（1）前記第1の非決定的パケットが、決定的パケットの送信と次の決定的パケットの送信との間の時間の全部より少ない時間を表わし、（2）前記決定的パケットのうちの1つまたは前記第1の非決定的パケットのうちの1つが前記送受信機によって送信のために運ばれることなく通過するパケット時間の個数が閾値以下であるようにされる。
【０００９】
そのような通信システムの実施形態は、次の特徴の1つまたは複数を含んでもよい。音声モジュールは、第1の非決定的パケットを送受信機に供給するように構成されている。ここにおいて、第1の非決定的パケットは、通信システムと別の通信システムとの間の通信内の実際の音声を表わしている。音声モジュールは、決定的パケットと、第1の非決定的パケットと、および非決定的音声を示す第2の非決定的パケットとを供給するように構成されており、送受信機は、第2の非決定的パケットの送信を禁止するように構成されている。音声モジュールは、供給されるパケットが決定的音声または非決定的音声のいずれであるかの表示を供給するように構成されている。音声モジュールは、決定的パケットおよび第1の非決定的パケットのみを送受信機に供給するように構成されている。音声モジュールは、決定的パケットのみを送受信機に供給するように構成されており、送受信機は、第1の非決定的パケットを生成するように構成されている。送信手段はさらに、通信内のP番目ごとのパケットが送信のために運ばれることを確実にするように構成されている。送信手段は、現在のパケットが非決定的パケットである場合のみ、現在のパケットが通信内のP番目のパケットであるかどうか判断するように構成されている。
【００１０】
ワイヤレス通信ネットワークにおいて音声を表わすパケットを選択的に送信する本件開示に準拠している例示的な方法は、以下のものを含んでいる：通信ネットワークにおけるデバイス相互間のマルチサイド通信の1つのサイドの音声を表わすデータパケットを供給することと、ここにおいて、前記データパケットは、決定的音声を表わす第1のデータパケットと、非決定的音声を表わす第2のデータパケットとを含んでいる、所望の送信タイミングに基づいて、第2のデータパケットのうちの1つによって占有される会話中の時間の期間中に第3のデータパケットを送信すべきかどうか判断することと、前記所望の送信タイミングに合致するとき第3のデータパケットを送信することと、および、第1のデータパケットを送信すること。
【００１１】
そのような方法の実施形態は、次の特徴の1つまたは複数を含んでもよい。第3のデータパケットは、会話の実際の音声を表わす第2のデータパケットである。前記方法は、第3のデータパケットを生成することをさらに含んでいる。第3のデータパケットは、次のもののうちの1つである：すべて0、すべて1、新しく生成されたサイレンスディスクリプタ、以前に生成されたサイレンスディスクリプタの繰返し、以前に送信された背景パケットの繰り返し。前記所望の送信タイミングに合致するとき第3のデータパケットを送信することは、第3のデータパケットがカウンタを使用して判断されるものとしてのP番目のパケットであるとき第3のデータパケットを送信することを含んでいる。前記方法は、周期値Ｐをワイヤレスで受信することと、および第3のデータパケットがP番目のパケットであるかどうか判断するために前記値Ｐを使用することをさらに含んでいる。前記所望の送信タイミングに合致するとき第3のデータパケットを送信することは、別の第3のデータパケットの送信または第1のデータパケットのうちの1つの送信の後、第2のデータパケットによって占有される時間の個数が予め定めた数に達するとき、第3のデータパケットを送信することを含む。前記方法は、通信内の現在のデータパケットが第1のデータパケットまたは第2のデータパケットのいずれであるかの表示を供給することをさらに含んでいる。
【００１２】
本件開示に準拠している例示的なコンピュータプログラム製品は、プロセッサ可読媒体上に存在し、次のことをプロセッサにさせるように構成されているプロセッサ可読命令を含んでいる：通信ネットワークにおけるデバイス相互間のマルチサイド通信の1つのサイドの音声を表わすデータパケットを供給することと、ここにおいて、前記データパケットは、決定的音声を表わす第1のデータパケットと、非決定的音声を表わす第2のデータパケットとを含んでいる、所望の送信タイミングに基づいて、第2のデータパケットのうちの1つによって占有される会話中の時間の期間中に第3のデータパケットを送信すべきかどうか判断することと、前記所望の送信タイミングに合致するとき第3のデータパケットを送信することと、および、第1のデータパケットを送信すること。
【００１３】
そのようなコンピュータプログラム製品の実施形態は、次の特徴の1つまたは複数を含んでもよい。第3のデータパケットは、会話の実際の音声を表わす第2のデータパケットである。コンピュータプログラム製品は、第3のデータパケットを生成することをプロセッサにさせるように構成されている命令をさらに含んでいる。生成される第3のデータパケットは、次のもののうちの1つである：すべて0、すべて1、新しく生成されたサイレンスディスクリプタ、以前に生成されたサイレンスディスクリプタの繰返し、以前に送信された背景パケットの繰り返し。前記所望の送信タイミングに合致するとき第3のデータパケットを送信することをプロセッサにさせるように構成されている命令は、カウンタを使用して通信内のP番目のパケットを判断することと、および第3のデータパケットがP番目のパケットであるとき第3のデータパケットを送信することとをプロセッサにさせるように構成されている。前記所望の送信タイミングに合致するときプロセッサに第3のデータパケットを送信させるように構成されている命令は、別の第3のデータパケットの送信または第1のデータパケットのうちの1つの送信の後、第2のデータパケットによって占有される時間の個数が予め定めた数に達するとき、第3のデータパケットを送信することをプロセッサにさせるように構成されている。コンピュータプログラム製品は、通信内の現在のデータパケットが第1のデータパケットまたは第2のデータパケットのいずれであるかの表示を供給することをプロセッサにさせるように構成されている命令をさらに含んでいる。
【００１４】
本件明細書に記載されている項目および／または技術は、以下の能力の1つまたは複数を供給するものであってもよい。会話の自然な音響を維持しつつ、かつ、所望の／必要な送信タイミング要件を充足しながら、ワイヤレス装置からの送信並びにそれに対応する電力消費および干渉発生を減少させることができる。リソースの浪費を減らし、背景音響パケット損失に起因する回復時間を短縮（またはゼロに）し、かつ、余分なモデム論理回路を持ち込むこともなく、非連続ワイヤレス送信を採用することができる。項目／技術と効果とのペアが本件明細書において説明されているが、特記されている手段以外の手段を用いることによって特記の効果を得ることも可能であり、また特記されている項目／技術が必ずしも特記されている効果を奏出するものであるとも限らない。
【図面の簡単な説明】
【００１５】
【図１】図1は、基地局コントローラと、基地局と、およびアクセス端末とを含むワイヤレス通信システムの単純化されたブロック図である。
【図２】図2は、図1に示されるアクセス端末のコンポーネントのブロック図である。
【図３】図3は、図1に示される基地局の送受信機のコンポーネントのブロック図である。
【図４】図4は、図2に示されるアクセス端末の機能コンポーネントのブロック図である。
【図５】図5は、図3に示される基地局の送受信機の機能コンポーネントのブロック図である。
【図６Ａ】図6Aは、パケットのタイプおよびパケットの送信の有無を表わす音声フレーム／パケットのシーケンスのブロック図である。
【図６Ｂ】図6Bは、パケットのタイプおよびパケットの送信の有無を表わす音声フレーム／パケットのシーケンスのブロック図である。
【図６Ｃ】図6Cは、パケットのタイプおよびパケットの送信の有無を表わす音声フレーム／パケットのシーケンスのブロック図である。
【図６Ｄ】図6Dは、パケットのタイプおよびパケットの送信の有無を表わす音声フレーム／パケットのシーケンスのブロック図である。
【図６Ｅ】図6Ｅは、パケットのタイプおよびパケットの送信の有無を表わす音声フレーム／パケットのシーケンスのブロック図である。
【図７】図7は、非決定的音声を非連続的に送信するプロセスのブロックフロー図である。
【図８】図8は、図7に示されるプロセスの例示的実装のブロックフロー図である。
【００１６】
これらの図において、同様の関連する特性および／または特徴を備えたコンポーネントは、同じ参照ラベルを有することができる。
【発明の詳細な説明】
【００１７】
本件明細書に記載されている技術は、ワイヤレスネットワークにおける非連続送信を提供するメカニズムを提供するものである。例えば、基地局の送受信機またはアクセス端末のスピーチ符号化器は、音声セグメント（典型的には20ミリ秒のセグメント）を符号化する。符号化器は、各パケットが決定的音声または非決定的音声のいずれであるかの表示を提供する。モデムは、パケットおよび決定的／非決定的表示を受信する。モデムは、決定的パケットを各々送信するとともに、1つまたは複数のネットワーク判別基準（例えば、送信のない最大の期間）を満たすために送信する必要があるとモデムが判断する非決定的パケットのみを送信する。他の実施形態もまた、本件開示および請求項の範囲内である。
【００１８】
本件明細書記載の技術は、CDMA、TDMA、FDMA、OFDMA、SC-FDMAおよび他のシステムのような様々なワイヤレス通信システムについて使用されることができる。「システム」および「ネットワーク」という用語は、しばしば互換的に使用される。CDMAシステムは、CDMA2000、UTRA(Universal Terrestrial Radio Access)のような無線技術を実装することもできる。CDMA2000は、IS-2000、IS-95およびIS-856標準をカバーする。IS-2000リリース0およびＡは、一般にCDMA2000 1X、1Xなどと呼ばれる。IS-856 (TIA-856)は、一般にCDMA2000 1xEV-DO、HRPD（High Rate Packet Data）などと呼ばれる。UTRAは、広帯域のCDMA（WCDMA）およびCDMAの他の変形を含んでいる。TDMAシステムは、GSM（登録商標）(Global System for Mobile Communications)のような無線技術を実装してもよい。OFDMAシステムは、UMB (Ultra Mobile Broadband)、E-UTRA (Evolved UTRA)、IEEE 802.11 (Wi-Fi)、IEEE 802.16 (WiMAX)、IEEE 802.20、Flash-OFDM(登録商標)のような無線技術を実装してもよい。UTRA および E-UTRAは、UMTS(Universal Mobile Telecommunication System)の一部である。3GPP LTE（Long Term Evolution）およびLTE-A（LTE-Advanced）は、E-UTRA を使用するUMTSの新しいリリースである。UTRA, E-UTRA, UMTS, LTE, LTE-A およびGSMは、3GPP(3rd Generation Partnership Project)という名の組織からの文献に記述されている。CDMA2000およびUMBは、3GPP2（3rd Generation Partnership Project 2）という名の組織からの文献に記述されている。本件明細書記載の技術は、上記のシステムおよび無線技術並びに他のシステムおよび無線技術について使用されることもできる。
【００１９】
図1を参照して、ワイヤレス通信システム10は、セル14内の基地局の送受信機（BTS）12、モバイルアクセス端末16（AT）および基地局コントローラ（BSC）18を含んでいる。BTS 12 およびAT 16は、変調された信号によって通信をする。各変調された信号は、CDMA信号、TDMA信号、OFDMA信号、SC-FDMA信号などであってもよい。各変調された信号は、パイロット、オーバーヘッド情報、データなどを伝えるものであってもよい。
【００２０】
BTS 12は、アンテナ22を経由して端末16とワイヤレスで通信をすることができる。BTS 12はまた、アクセスポイント（AP）、アクセスノード（AN）、ノードB、eNB（evolved Node B）などと呼ばれることがある。BTS 12は、BSC 18の管理下でAT 16と通信をするように構成されている。BSC 18はBTS 12 と離れているものとして図示されているが、その他の構成も可能である（例えば、ノードBのためのコントローラは、無線ネットワークコントローラ（RNC）として知られており、またeNBは、送受信機およびコントローラの双方、すなわちBTSおよびBSCの機能の双方を含んでいる）。基地局12の各々は、それぞれの地理的エリア（ここでは、セル14a, 14b, または14c）のための通信カバレッジを提供することができる。基地局12のセル14の各々は、基地局アンテナ22の関数として、セル14a内に図示されているように多数の（ここでは3個の）セクター20へ分割される。図1は、セクター20を明瞭に定義されるものとして、各ATをただ1つのセクター20の中にあるものと図示しているが、セクター20は、オーバーラップしており、1つのAT 16が多数のセクター20と多数のセル14の中に同時にあることもできるのであって、その結果として、BTS 12は、2以上のセクター20と2以上のセル14を通ってAT 16 と通信をすることができる。
【００２１】
システム10は、マクロの基地局12のみを含んでもよく、または異なるタイプの基地局12（例えば、マクロ、ピコ、および／またはフェムト基地局）を備えることも可能である。マクロ基地局は、比較的広い地理的エリア（例えば、半径数km）をカバーし、サービス加入を備えた端末による無制限のアクセスを可能とするものであってもよい。ピコ基地局は、比較的狭い地理的なエリア（例えば、ピコ・セル）をカバーし、サービス加入を備えた端末による無制限のアクセスを可能とするものであってもよい。フェムトまたはホーム基地局は、比較的狭い地理的エリア（例えば、フェムト・セル）をカバーし、フェムト・セル（例えば、自宅いるユーザーの端末）との関連を有する端末による制限されたアクセスを可能とするものであってもよい。
【００２２】
AT 16は、セル14内に分散しているものであってもよい。AT 16は、移動局、モバイルデバイス、ユーザ設備（UE）または加入者ユニットと呼ばれることがある。本件明細書において、AT 16は、セルラー電話とワイヤレス通信装置を含んでいるが、携帯情報端末（PDA）、他のハンドヘルド装置、ネットブック、ノート型コンピュータなどをさらに含むことができる。
【００２３】
さらに図2を参照して、AT 16の例示的な1つは、プロセッサ40、メモリ42、送受信機44、アンテナ46およびスピーチ符号化器48を含んでいる。送受信機44は、BTS 12と双方向的に通信をするように構成されている。好ましくは、プロセッサ40は、情報処理能力のあるハードウェアデバイス、例えば、インテル社またはAMD社製の中央情報処理装置（CPU）や、マイクロコントローラや、特定用途向け集積回路（ASIC）などを含んでいる。メモリ42は、ランダムアクセスメモリ（RAM）および読み出し専用メモリ（ROM）を含んでいる。メモリ42は、実行されると、本件明細書記載の様々な機能を実行することをプロセッサ40にさせるように構成されている命令を含んでいるコンピュータ可読でコンピュータ実行可能なソフトウェアコード43を格納している。代替的に、ソフトウェア43は、プロセッサ40によって直接実行可能なものではなくて、例えば、コンパイルされ、実行されると、前記機能を実行することをコンピュータにさせるように構成されているものであってもよい。
【００２４】
スピーチ符号化器48は、マイクロホンを通して音声を受信し、音声を受信音声を表わすパケット（例えば長さ20ミリ秒）に変換し、および音声パケットをライン47上の送受信機44に供給するように、またライン49上に決定的／非決定的（C/NC）音声の表示を提供するように構成されている（後述）。ここにおけるおよび以下の議論における2つのライン47および49の使用は、論理的／図示的な目的のためであって、C/NC表示は、物理的に別々のライン上で、または別々のモジュールによって供給されるものでなくてもよい。例えば、C/NC表示は、ライン47上で供給される音声パケットの各々におけるタグとして供給されるものであってもよい。代替的に、符号化器48は、パケットそれ自体の供給または留保／抑止がC/NC表示であるとして、決定的パケットのみを送受信機44に供給するものであってもよい。
【００２５】
送受信機44は、モデムを含んでおり、送受信機44は、パケットを変調し、変調したパケットを送信のためにアンテナ46に供給するように、またアンテナ46から受信したパケットを復調するように構成されている。送受信機44はまた、送受信機44によって処理されたパケットの個数をカウントするモデムカウンタ45を含んでいる。カウンタ45は、スピーチ符号化器48とは独立に、受信パケットの個数および／またはパケット／フレーム時間をカウントする。すなわち、カウンタ45は、受信パケットの個数をカウントする、若しくは受信パケットがない状態でパケット／フレーム時間（例えば、10ミリ秒、20ミリ秒等ごとのインクリメント）の個数をカウントする、または受信パケットがない状態で受信パケットおよびパケット／フレーム時間の双方の個数をカウントすることができる。カウンタ45は、直列的にカウントする、または周期値に基づいて循環式にてカウントするように構成することもできる。
【００２６】
AT 16は、キャリアのアクティブセットを使用することによって、順方向リンク及び逆方向リンクを経由して基地局12と通信をすることができる。順方向リンク（またはダウンリンク）は、基地局12から端末16への通信リンクを指し、逆方向リンク（またはアップリンク）は、端末16から基地局12への通信リンクを指す。キャリアのアクティブセットとは、基地局12との通信が満足の行く程度に可能であると判断されたところのキャリアのセットである。アクティブセットは、基地局12に対応するセクターとキャリアとのペア（パイロット）を含むことができる。このペアは、アップリンク上のAT 16からの送信を復号するものであって、ダウンリンク送信の受信のためにAT 16によって選択されることができる。
【００２７】
図3をも参照して、BTS 12の例示的な1つは、プロセッサ50、メモリ52、モデム54、アンテナ56、およびBSCインターフェース／スピーチ符号化器58を含んでいる。スピーチ符号化器58は、図ではBTS 12の一部として示されているが、物理的には、他のところに、例えば、BSC 18またはメディア・ゲートウェイ（不図示）の中に配置されてもよい。送受信機54は、例えば、BSCインターフェース58から受信した情報内の出て行くパケット（outgoing packets）を変調し、当該変調パケットをAT 16 への送信のためにアンテナ56に供給することによって、およびアンテナ56から受信した情報内のパケットを復調し、当該復調パケットをBSCインターフェース58へ供給することによって、AT 16 と双方向に通信をするように構成されている。好ましくは、プロセッサ50は、情報処理能力のあるハードウェアデバイス、例えば、インテル社またはAMD社製の中央情報処理装置（CPU）や、マイクロコントローラや、特定用途向け集積回路（ASIC）などを含んでいる。メモリ52は、ランダムアクセスメモリ（RAM）および読み出し専用メモリ（ROM）を含んでいる。メモリ52は、実行されると、本件明細書記載の様々な機能を実行することをプロセッサ50にさせるように構成されている命令を含んでいるコンピュータ可読でコンピュータ実行可能なソフトウェアコード53を格納している。代替的に、ソフトウェア53は、プロセッサ50によって直接実行可能なものではなくて、例えば、コンパイルされ、実行されると、前記機能を実行することをコンピュータにさせるように構成されているものであってもよい。
【００２８】
BTS 12は、BSC 18と双方向の通信をするように接続され構成されている。BSC 18は、典型的にはここに示されているように、BTS 12と有線結合されている。BTS 12 は、BSCインターフェース58を経由して送受信機54を使用することによって、BSC 18へのおよび BSC 18からの送信を伝送し、受信し、符号化し、および復号するように構成されている。
【００２９】
BSCインターフェース／スピーチ符号化器58は、ネットワークから音声パケットを受信し、当該パケットをライン57上で送受信機54に供給するように、およびライン59上に決定的／非決定的音声の表示を提供するように構成されている（以下においてさらに論ずる）。受信パケットは、インターフェース／符号化器58によって運ばれるが、インターフェース／符号化器58によって符号化されない符号化パケットであってもよい。代替的に、インターフェース／符号化器58は、音声パケットを符号化し、これらのパケットをライン57上に提供し、決定的／非決定的表示をライン59上に提供することができる。ここにおけるおよび以下の議論における2つのライン57および59の使用は、論理的／図示的な目的のためであって、C/NC表示は、物理的に別々のライン上で、または別々のモジュールによって供給されるものでなくてもよい。例えば、C/NC表示は、ライン57上で供給される音声パケットの各々におけるタグとして供給されるものであってもよい。代替的に、インターフェース／符号化器58は、パケットそれ自体の供給または留保／抑止がC/NC表示であるとして、決定的パケットのみを送受信機54に供給するものであってもよい。
【００３０】
送受信機54は、モデムを含んでおり、そのモデムは、パケットを変調し、変調したパケットを送信のためにアンテナ56に供給するように、またアンテナ56から受信したパケットを復調するように構成されている。送受信機54はまた、送受信機54によって処理されたパケットの個数をカウントするモデムカウンタ55を含んでいる。カウンタ55は、インターフェース／符号化器58とは独立に、受信パケットの個数および／またはパケット／フレーム時間をカウントする。すなわち、カウンタ55は、受信パケットの個数をカウントする、または受信パケットがない状態でパケット／フレーム時間をカウントする（例えば、10ミリ秒、20ミリ秒等ごとのインクリメントを行う）、または受信パケットがない状態で受信パケットの個数およびパケット／フレーム時間の双方をカウントすることができる。カウンタ55は、直列的にカウントする、または周期値に基づいて循環式にてカウントするように構成されてもよい。
【００３１】
AT 16とBTS 12との間のトラヒックは、ダイナミックに変化する。ネットワーク10上に会話が生じ、その会話のためのトラヒックがAT 16 とBTS 12との間を通過する際、AT 16 とBTS 12との間の当該送信トラヒックのパケットが会話とともに変化する。トラヒックパターンは、典型的には、アクティブスピーチと、それに続く決定的背景ノイズと、それに続く非決定的背景ノイズの期間とを含んでおり、より多くのアクティブスピーチの前には決定的背景ノイズが散在させられている。
【００３２】
図4を参照し、図2をさらに参照して、AT 16 は、決定的／非決定的（C/NC）パケットモジュール62と、非決定的背景ノイズモジュール（DTXモジュール）64とを含んでいる。C/NCモジュール62は、好ましくはスピーチ符号化器48の一部であるが、符号化器48とは別のものとして実装することもまた可能である。C/NCモジュール62は、パケットが決定的音声であるか（例えば、アクティブスピーチまたは決定的背景ノイズであるか）、または非決定的音声であるか（例えば、非決定的背景ノイズであるか）を判断し、およびライン47上の対応する音声パケットが決定的であるか、または非決定的であるかに関する表示をライン49上に提供するように構成されている。DTXモジュール64は、好ましくは送受信機44の一部であるが、必ずしもそうである必要はない。DTXモジュール64は、ライン49上の表示によって非決定的なものと指定されている受信パケットをライン47上で送信すべきかどうか判断するように構成されている。DTXモジュール64は、BTS 12から受信した周期値P（例えば4、8など）と、モデムがパケットの追跡(例えばカウント)を始めた場所を基準点とするパケットシーケンス内の現在のパケットの位置とに基づいて（例えば、会話／通信のパケットシーケンス内の現在のパケットのパケット番号に基づいて）、この決定を行うように構成されている。代替的に、モジュール64は、周期値と、最後のパケット送信の後のパケットの量とに基づいて、この決定を行うように構成されることもできる。すなわち、スピーチ符号化器48および送受信機44は、音声（例えばスピーチ）をパケットに符号化し、符号化されたパケットが決定的であるか、それとも非決定的であるかを決定し、非決定的パケットを送信すべきかどうかを決定し、送信されるべきでない非決定的パケットをブランク化し、および送信すべき符号化されたパケット（送信されるべきと判断された決定的パケットおよび非決定的パケット）をアンテナ46による送信のために変調する符号化・変調ユニットである。
【００３３】
図5を参照し、図3をさらに参照して、BTS 12は、決定的／非決定的（C/NC）パケットモジュール72、非決定的背景ノイズモジュール（DTXモジュール）74およびネットワーク周期モジュール76を含んでいる。C/NCモジュール72は、好ましくはスピーチ符号化器58の一部であるが、スピーチ符号化器58とは異なるものとして実装することも可能である。C/NCモジュール72は、パケットが決定的音声（例えばアクティブスピーチまたは決定的背景ノイズ）を示しているか、それとも非決定的音声（例えば非決定的背景ノイズ）を示しているかを判断するように、およびライン57上の対応する音声パケットが決定的であるか、非決定的であるかに関する表示をライン59上に供給するように構成されている。DTXモジュール74は、好ましくは送受信機54のモデムの一部であるが、必ずしもそうである必要はない。DTXモジュール74は、ライン59の上の表示によって非決定的なものとして指定されるライン57上で受信されるパケットを送信すべきかどうか判断するように構成されている。DTXモジュール74は、ネットワーク周期モジュール76によって供給されるネットワーク周期値Ｐと、およびモデムがパケットの追跡（例えば、カウント）を始めた場所を基準点とするパケットシーケンス内の現在のパケットの位置とに基づいて（例えば、会話／通信のパケットシーケンス内の現在のパケットのパケット番号に基づいて）、この決定を行うように構成されている。周期モジュール76は、DTXモジュール64に対抗して、異なる周期をDTXモジュール74に供給することも可能である。すなわち、スピーチ符号化器58および送受信機54は、音声（例えばスピーチ）をパケットに符号化し、符号化されたパケットが決定的であるか、それとも非決定的であるかを決定し、非決定的パケットを送信すべきかどうかを決定し、送信されるべきでない非決定的パケットをブランク化し、および送信すべき符号化されたパケット（送信されるべきと判断された決定的パケットおよび非決定的パケット）をアンテナ56による送信のために変調する符号化・変調ユニットである。
【００３４】
ネットワーク周期モジュール76は、BTS 12のDTXモジュール74に周期値を供給するように、およびアンテナ56を経由してAT 16（図4）のDTXモジュール64に周期値を供給するように構成されている。周期値（periodicity value）とは、送信フレームと次の送信フレームとの間の許容可能な間隔を表わすフレームの量である。すなわち、ある周期値Pについて、決定的フレームが送信され、P番目ごとのフレームは、それが決定的フレームであるか非決定的フレームであるかに関係なく、送信されることになる。モジュール76は、BTS 12とAT 16との間の通信の期間中を含め、時間の経過とともに周期値Ｐを変更することができる。
【００３５】
図6Ａは、ソース制御のDTXスキームによるスピーチ符号化器を用いて生成されるパケットシーケンス110の一例を示す。典型的には、シーケンス110は、複数のアクティブスピーチ（A）パケット112と、それに続く決定的背景ノイズ（EC）パケット114と、それに続く非決定的背景ノイズ（B）パケット116とを含んでいる。ここにおいて、非決定的背景ノイズ（B）パケット116は、その中に決定的背景ノイズパケット114が時々散在させられている。図6Ａ−6Ｅに示されるパケット番号は、例示の容易さのためであって、制限的なものではない。
【００３６】
消費電力および干渉の影響を最小化する目的のために、パケットの送信は、入力セグメントがアクティブスピーチまたは決定的背景ノイズであるときのみ行うことになるであろう。図6Ｂをも参照して、図6Ａのスピーチ符号化器パケットシーケンスが与えられると、送信パケットシーケンス120は、アクティブスピーチパケット112および決定的背景ノイズパケット114に対応する送信パケット（Tパケット）122と、非送信パケット（Xパケット）124（すなわち、非決定的背景ノイズパケット116のどれについても）とを含んでいる。
【００３７】
しかしながら、モデムの適正な機能のために（例えば、電源のコントロール、または発信機と受信機との間のその他のフィードバックループを維持するために）、モデムが周期的に送信を行う必要があるかもしれない。例えば、モデム44,54は、チャネル特性に依存して、少なくとも、P個（ただし、P＞＝1）のセグメントごとに1回、送信を行うことができる。モデムの所望の送信タイミングを背景ノイズ期間中のスピーチ符号化器生成パケットシーケンスと完全に整合させることは、不可能でないにしても、非常に困難である。図6Ｃをも参照して、P＝4である所望の送信パケットシーケンス130は、送信パケット（T、D）132、133および非送信パケット（X）134を含んでいる。Tパケット132は、アクティブスピーチおよび決定的背景ノイズのパケットである。これに対し、Dパケット133は、非決定的背景ノイズセグメントの期間中に送信されたパケットである。ここにおいて、スピーチ符号化器48またはインターフェース／符号化器58は、パケットをブランク化している（すなわち、送受信機44および54への送信を留保または抑制している）。Dパケットは、人工的に生成されたデータの「ダミー」パケットである。例えば、これは、すべて0、すべて1、新しく生成されたサイレンスディスクリプタ（SID）、最後に送信された（以前に生成された）SIDの繰り返し、または最後に送信された背景ノイズパケットの繰返しなどであって、送受信機44によって生産／生成されるものである。このようにして、モデム44,54は、スピーチ符号化器によって供給されるデータのタイプに関する入力が無くても、背景ノイズ期間内にDTXを行なうことが可能とさせられる。代替的に、以下で論じられるように、送受信機44は、すべての音声パケットとともにボコーダー48からの決定的／非決定的表示を使用して、DTXを行なうことができる。
【００３８】
図7を参照して、決定的音声を送信し、非決定的音声（例えば背景ノイズ）を非連続に送信するプロセス180は、図に示されるステージを含んでいる。プロセス180において、基地局の送受信機またはアクセス端末のスピーチ符号化器は、音声セグメントを符号化／受信し、各パケットが決定的音声または非決定的音声のいずれであるかの表示を供給する。モデムは、パケットおよび決定的／非決定的表示を受信する。モデムは、決定的パケットの各々を送信し、および1つまたは複数のネットワーク判別基準（例えば、送信のない最大の期間）を満たすために送信すべきとモデムが判断する非決定的パケットのみを送信する。プロセス180は、例示目的のみのものであって、制限的なものではない。プロセス180は、例えば、ステージの増加、削除、または並び替えを行うことによって変形させられてもよい。ステージ182において、データパケットのシーケンスは、ネットワーク10におけるマルチサイド（例えば、2サイド、3サイド等）の通信の1つのサイドの音声を表わして生成される。ステージ184において、所望の送信タイミング（例えば、周期値によって示されるような、送信なしで通過させられることができるタイムスロットの閾値量）に基づいて、非決定的音声パケットを送信すべきかが判断される、ステージ186において、決定的音声パケットが送信される。ステージ188において、所望の送信タイミング基準を満たす非決定的音声パケットのみが送信される。
【００３９】
図8を参照し、図1−5、6Ｃおよび6Dをさらに参照して、決定的音声を送信し、非決定的音声（例えば背景ノイズ）を非連続に送信するプロセス210は、図示のステージを含んでいる。プロセス210は、図7に示されるプロセス180の例示的実装であって、制限的なものではない。プロセス210は、例えば、ステージの増加、削除、並び替えによって変形させられることができる。例えば、プロセス210は、複数のBTS 12および複数のAT 16に適用可能であるが、以下の説明は、1つのBTS 12および1つのAT 16を参照している。さらに、本件明細書において説明されている技術は、BTS 12およびAT 16の双方に適用可能であるが、以下の説明は、AT 16からのDTX通信についてのみ説明している。ここにおいて、BTS 12の機能は同じものであるとしている。別の例として、以下に論じられるステージ220および222を逆にすることも可能である。さらに別の例として、以下で論じられるように、ステージ220の修正およびステージ228の挿入も可能である。
【００４０】
ステージ212において、DTX周期値が受信される。BTS 12のネットワーク周期モジュール76は、AT 16およびBTS 12の非決定的背景ノイズモジュール64および74に周期値（Ｐ）を供給する。AT 16について、周期値は、BTS 12の送受信機54とアンテナ56とによって送信され、AT 16のアンテナ46と送受信機44とを経由して受信される。このステージは、BTS 12およびAT 16に関係する情報交換（例えば通話）の発端の前にうまく行うこともできる。周期値は、時間とともに変更させられてもよい。また、変更の有無にかかわらず、その値は、定期的に（例えば毎日）AT 16に送信されることができる。
【００４１】
ステージ216において、音響を示す音響信号が送受信機（モデム）44によってスピーチ符号化器48から受信される。スピーチ符号化器48は、AT 16で受信された音響（例えば音声、背景ノイズ）を示す信号をライン47上の送受信機44に供給する。音響信号は、それらの音響の性質にかかわらず、すなわち、音声、決定的非音声／背景ノイズ（すなわち音声でないが送信するのが望ましい音響）、または非決定的背景ノイズのいずれであれ、AT 16上の音響の現在の／進行中の表示を供給する。非決定的背景ノイズは、例えば、すべての利用可能な情報より少ない情報が供給される場合であっても、その情報が完全であるかのようにみえることを助けるために（例えば、会話が異常な沈黙なしで、正常にみえるのを助けるために）、送信することが望まれることがある。送受信機は、受信した音響信号を、各々のデータパケット（フレーム）が例えば20ミリ秒の音響を表わすデータパケットにフォーマット化する。パケットは、AT 16とBTS 12との間の各々の相互作用のために、連続的に番号付けされる。すなわち、各々の接続／相互作用（例えば通話）について、AT 16とBTS 12との間で、パケットが各々の新規の接続／相互作用のためにリセットされて連続的に番号付けされる。代替的に、パケットは、例えば、Pの値に基づいて循環方式で非直列的に番号付けされることができる（例えば、Pの値が4の場合、パケットは、0、1、2、3、0、1、2、3、0等と番号付けることができる）。本件明細書において説明されているパケット番号付けは、概念的理解のために提供されるものであって、制限するものではない。図に示されている番号付けメカニズムまたはその他の技法は、P番目ごとのパケットが必ず送信されること、またはパケット送信前にP-1個以上のタイムフレームが通過することはないことを確実にするために使用されることができる。
【００４２】
ステージ218において、決定的／非決定的（C/NC）信号がスピーチ符号化器48から受信される。この信号は、対応する音響信号の性質が決定的であるか、または非決定的であるかを示す信号である。スピーチ符号化器48は、ライン49上にC/NC信号を供給する。この信号は、ライン47上に供給される対応する信号の性質を表わすものであって、決定的音声（例えばアクティブスピーチ、決定的背景ノイズ）または非決定的音声のいずれかを表わす。ステージ216における送受信機44へのパケットの送信、または留保／抑制は、パケットが決定的／非決定的表示であるかを表わす表示であることができる。
【００４３】
ステージ220において、音響情報の現在のパケットまたはフレーム、またはフレーム時間が、自動または必須送信パケット（図6D）、または時間であるか（図6C）について照会が行なわれる。言い換えれば、現在のパケットが決定的であるか非決定的であるかは無関係であるということ（図6D）、または送受信機44にパケットが供給されないということ（図6C）についての照会が行なわれる。送受信機44内のモデムは、受信パケットの性質が決定的／非決定的であるかどうかにかかわらず、かつ、C/NC信号値が何であるかにかかわらず、現在の受信されたパケット（図6Ｄ）または生成されたパケット（図6Ｃ）が送信されるべきものであるかどうか、または受信されたパケットの不存在を、1つまたは複数の周期性判別基準（periodicity criteria）が満たされるかどうかに基づいて（ここでは周期値およびその他の関連情報に基づいて）チェックする。ここで、送受信機44は、現在のパケットまたはフレーム時間がP番目のパケットまたはフレーム時間に対応するかどうか判断することによって、自動／必須送信のためのタイミングが満たされたかどうか判断する。送受信機44は、カウンタ45から得られる現在のパケット／フレーム番号を周期値（例えば4）で割った剰余がゼロ（すなわち、REM（（パケット番号）／（周期値））＝0？またはREM（N／P）＝0？）であるか判断する。代替的に、カウンタ45が循環的にカウントをする場合、送受信機44は、カウンタ45の値が自動送信のための期間に到達していることを示す値（例えば、0（Ｎ＝0？））であるかどうか判断する。自動／必須送信と次の自動／必須送信との間の期間が要件に合致する場合、周期性判別基準が満たされ（例えば、剰余が0である、カウンタ値が0である等）、現在のパケットが送信のための自動／必須パケットであると判断され、プロセスは、ステージ226に移る。自動／必須送信と次の自動／必須送信との間の期間が要件に合致しない場合、周期性判別基準は満たされず（例えば、剰余が0でない、カウンタ値が0でない等）、プロセスは、ステージ222に移る。
【００４４】
ステージ222において、現在の受信されたパケットが決定的または非決定的のいずれに分類されるかに関して照会が行なわれる。C/NC信号が供給される場合の構成において、送受信機44は、ライン47上の音響信号から生成される現在のパケットに対応するライン49上のC/NC信号を分析し、それによって、現在のパケットが決定的音響または非決定的音響を表わすことをC/NC信号が表わすかどうか判断する。パケットそれ自身が決定的表示である場合、受信したパケットは、決定的であると判断される。パケットが決定的音響を表わしている（すなわち決定的パケットである）と判断される場合、プロセス210は、ステージ226に移る。パケットが非決定的音響を表わす（すなわち非決定的パケットである）と判断される場合、またはパケットが受信されない場合、プロセス210は、ステージ224に移る。
【００４５】
ステージ224において、現在の受信パケットは、仮に1つ存在するとしても、アンテナによって送信されることが禁じられる（送信されない）。アクションが取られ得ないか、現在のパケットが廃棄されるかのいずれかである。好ましくは、送受信機44は、AT 16とBTS 12との間の相互作用の現在のタイムスロットにおいてパケットが送信されることがないように、現在のパケットを廃棄する。代替的に、送受信機は、パケットを廃棄せず、それをアンテナ46に伝送せず、そしてそのパケットをシーケンス中の次のパケットと置き換える。次にプロセス210は、ステージ212に戻る。
【００４６】
ステージ226において、現在の受信パケット（図6Ｄ）が送信され、またはダミーのパケットが生成・送信される（図6Ｃ）。受信されたパケットがある場合、現在の受信されたパケットは、送受信機44によってアンテナ46を経由してBTS 12へ送信される。送信されるパケットは、ライン47上のスピーチ符号化器48からの音響信号によって表わされて送受信機44のモデムによってパケットへフォーマットされるような、AT 16にて受信される音響を表わしている。このようにして、送信データは、その瞬間の実際の音響であってダミーでないデータ、またはサイレンス表示、または以前の音響若しくはサイレンス表示の繰り返しを表わしている。受信したパケットがなく、かつ、パケットが送信されるべきである場合、送受信機44は、パケット（例えば、すべての0、すべて1、最後に送信された背景パケットの繰り返し、サイレンスディスクリプタ、または最後に送信されたサイレンスディスクリプタの繰り返し）を生成し、そのパケットは、送受信機44およびアンテナ46によって送信される。
【００４７】
プロセス210は、ステージ212へ戻って、さらなる処理を行なう。ステージ212において、新規の周期値が受信されてもよく、受信されなくてもよい。音響及び当該音響の決定的／非決定的性質の表示がステージ216、218にて続けて受信され、受信された音響は、フォーマット化されて、パケットになる。AT 16とBTS 12との間の現在の相互作用が終了するまで、プロセス210が継続する。そして、プロセス210は、新規の相互作用によって再開される。しかしながら、1つの周期値が格納されている場合は（例えば、デフォルト値または以前に受信された値が格納されている場合は）、各々の新規の相互作用について、ステージ212において必ずしも新規の周期値が受信される必要はない。
【００４８】
図6Ｃ参照して、パケットのシーケンス130は、周期値Pにしたがっていくつかの非決定的パケットが生成・送信される。図6Ｃは、Ｐ＝4であるところの例示的ケースのためのものである。図に示されているように、アクティブスピーチまたは決定的背景ノイズのいずれかである6個のパケット132が送信される。シーケンス130のP番目の位置のパケット番号を備えた3つの生成されたダミーパケット133も送信される。定期的時間においては別にして、背景ノイズ時間134の期間中には、パケットが送信されることはない。
【００４９】
図6Dを参照して、パケットのシーケンス140は、周期値Pにしたがっていくつかの非決定的パケットが送信される。図6Dは、P＝4であるところの例示的ケースのためのものである。図に示されているように、4個のアクティブスピーチパケット142が送信され、2個の決定的背景ノイズパケット144が送信される。追加的に、剰余なく4で割り切れるパケット番号（ここでは、パケット番号8、12および16）を備えた非決定的背景ノイズパケット146も送信される。
【００５０】
代替的に、ステージ220および222を入れ替えることもできる。そのようにすると、パケットが決定的であるか非決定的であるかを先に判断することができる。パケットが決定的であれば、そのパケットは、ステージ226において送信されることになる。パケットが非決定的であれば、パケットは自動送信の周期にしたがって送信されるべきかどうかが判断されることになろう（すなわち、パケットが決定的であるか非決定的であるかどうか無関係の場合）。
【００５１】
さらに代替的に、P番目ごとのパケットが送信されるということではなくて、一列のP-1個以上の非決定的パケットがアンテナ46によって送信されることがないということを確実なものとするために、周期値を使用することもできる。この場合、ステージ226においてパケット（決定的または非決定的）が送信された後、プロセス210は、ステージ228（図8では点で図示されている）に移り、そこにおいて、現在のパケット番号が最後に送信されたパケット番号Xとして格納される（すなわち、X=N）、または循環式カウンタが初期値（例えば、ゼロ（N=0））にリセットされる。この構成の場合、ステージ220において、現在のパケット番号が周期値Pの倍数であるかどうか判断する代わりに、現在のパケットが最後に送信されたパケットから数えてＰパケットであるか、すなわち、N - X = P？であるか（または循環式カウンタの場合、N=0？であるか）について照会が行なわれる。タイミング判別基準が満たされたと判断されたら（例えば、非循環式カウンタの場合、N - X = P、または循環式カウンタの場合、N=0）、プロセス210は、ステージ226に移り、そうでない場合は、ステージ222に移る。図6Ｅを参照して、パケットシーケンス150が非決定的パケットを送信している（NC、T）のは、3個の非送信パケットタイムスロット（NC、NC、NC）がそれぞれの送信された非決定的パケットに先行した場合のみである。図6Ｅは、P=4であるところの例示的ケースのためのものである。図に示されているように、4個のアクティブスピーチのパケット152が送信され、2個の決定的背景ノイズパケット154が送信される。追加的に、非決定的背景ノイズパケット156は、そのパケット番号から一番最後に送信されたパケットの番号を引いた値が4に等しい場合、単に送信される。この例において、パケット番号5の後に8個の非決定的パケットが続いているから、パケット番号8（8−4＝4）が送信される。そしてパケット番号8は、一番最後に送信されたパケットになる。したがって、次の送信パケットは、パケット番号12（12−8＝4）である。パケット番号13は、決定的パケットであり（したがって送信され）、一番最後に送信されたパケットになり、その後に5個の非決定的パケットが続いている。したがって、次に送信
されるパケットは、パケット番号17（17―13＝4）である。
【００５２】
さらに代替的に、ステージ220および222の双方の照会は、スピーチ符号化器48によって行なわれる。符号化器48は、現在のパケットが決定的であるか非決定的であるかの判断も、現在のパケットが送信パケットの所望の周期にしたがって送信されるべきであるかの判断も両方行なう。この場合、スピーチ符号化器は、C/NC信号を送受信機44に運搬せず、その代り、アンテナ46によって伝送・送信されるべきパケットのみを送受信機44に送信する。符号化器48によって送受信機44に送信されるパケットは、決定的パケットまたは非決定的パケットのいずれであってもよく、また送受信機は、それらの性質にかかわらず（好ましくはその性質について判断をすることなく）、パケットを変調し、アンテナ46へ伝送する。
【００５３】
他の実施形態も可能であって、それも本件開示の範囲内にある。
【００５４】
代替的構成において、DTXモジュール74は、周期値と、最後のパケット送信の後のパケットの量とに基づいて、ライン59上の表示によって非決定的と指定される受信パケットをライン57上にて送信すべきかどうかの判断を行なうように構成することも可能である。すなわち、この場合、周期値は、パケットを送信することなく超過されるべきでないフレームの量（上限）を表すことになる。したがって、ある周期値Pについて、仮にP−1個のフレームがパケットを1つも送信されていなかったら、その次のフレームがパケットを送信されることになるはずである。
【００５５】
上で論じられた周期値は、必須送信と必須送信の間の期間が固定期間より長くない場合について効果を奏するものであったが、このことは、周期値のただ一つの意味ではない。周期値は、パケット／フレーム送信と次のパケット／フレーム送信との間の上限を設定しているが、非決定的背景ノイズの長い期間の間における送信は、固定間隔においてなされなくてはならないものに限られない。本件送信は、任意の2つの送信の間の上限が定められている限りにおいて、ランダムであってもよく、固定間隔においてであってもよく、擬似ランダム等々であってもよいものである。
以下に本件出願当初の特許請求の範囲に記載された発明を付記する。
［Ｃ１］ワイヤレスネットワークにおいて使用される通信システムであって、
前記通信システムと別の通信システムとの間の通信の一部のために音声を示すパケットを提供するように構成されている音声モジュールと、ここにおいて、前記通信は、パケット時間にまたがっており、前記パケットは、少なくとも、決定的音声を示す決定的パケットを含んでいる、および
前記音声モジュールに結合されている送受信機であって、次のことを起こさせる送受信機：
前記決定的パケットが送信のために運ばれることと、および
非決定的音声を示す第1の非決定的パケットが送信のために運ばれることであって、そのことによって、（1）前記第1の非決定的パケットが、決定的パケットの送信と次の決定的パケットの送信との間の時間の全部より少ない時間を表わし、（2）前記決定的パケットのうちの1つまたは前記第1の非決定的パケットのうちの1つが前記送受信機によって送信のために運ばれることなく通過するパケット時間の個数が閾値以下であるようにされること、
を具備するシステム。
［Ｃ２］前記音声モジュールは、前記第1の非決定的パケットを前記送受信機に供給するように構成され、前記第1の非決定的パケットは、前記通信システムと前記別の通信システムとの間の通信内の実際の音声を表わす、Ｃ1のシステム。
［Ｃ３］前記音声モジュールは、前記決定的パケットと、前記第1の非決定的パケットと、および非決定的音声を示す第2の非決定的パケットとを供給するように構成され、前記送受信機は、前記第2の非決定的パケットの送信を禁止するように構成されている、Ｃ2のシステム。
［Ｃ４］前記音声モジュールは、供給されるパケットが決定的音声または非決定的音声のいずれであるかの表示を供給するように構成されている、Ｃ1のシステム。
［Ｃ５］前記音声モジュールは、前記決定的パケットおよび前記第1の非決定的パケットのみを前記送受信機に供給するように構成されている、Ｃ1のシステム。
［Ｃ６］前記音声モジュールは、前記決定的パケットのみを前記送受信機に供給するように構成され、前記送受信機は、前記第1の非決定的パケットを生成するように構成されている、Ｃ1のシステム。
［Ｃ７］前記送受信機は、前記通信内のP番目ごとのパケットが送信のために運ばれることを確実にするように構成されている、Ｃ1のシステム。
［Ｃ８］前記送受信機は、現在のパケットが非決定的パケットである場合のみ、現在のパケットが前記通信内のP番目のパケットであるかどうか判断するように構成されている、Ｃ7のシステム。
［Ｃ９］ワイヤレスネットワークにおいて使用される通信システムであって、
前記通信システムと別の通信システムとの間の通信の一部のために音声を示すパケットを提供するように構成されている音声モジュールと、ここにおいて、前記通信は、パケット時間にまたがっており、前記パケットは、少なくとも、決定的音声を示す決定的パケットを含んでいる、および
前記音声モジュールに結合されている送信手段であって、次のものを送信する手段： 前記決定的パケット、および
非決定的音声を示す第1の非決定的パケット：その送信によって、（1）前記第1の非決定的パケットが、決定的パケットの送信と次の決定的パケットの送信との間の時間の全部より少ない時間を表わし、（2）前記決定的パケットのうちの1つまたは前記第1の非決定的パケットのうちの1つが前記送受信機によって送信のために運ばれることなく通過するパケット時間の個数が閾値以下であるようにされる、
を具備するシステム。
［Ｃ１０］前記音声モジュールは、前記第1の非決定的パケットを前記送受信機に供給するように構成されており、前記第1の非決定的パケットは、前記通信システムと前記別の通信システムとの間の前記通信内の実際の音声を表わす、Ｃ9のシステム。
［Ｃ１１］前記音声モジュールは、前記決定的パケットと、前記第1の非決定的パケットと、および非決定的音声を示す第2の非決定的パケットとを供給するように構成されており、前記送受信機は、前記第2の非決定的パケットの送信を禁止するように構成されている、Ｃ10のシステム。
［Ｃ１２］前記音声モジュールは、供給されたパケットが決定的音声または非決定的音声のいずれであるかの表示を供給するように構成されている、Ｃ9のシステム。
［Ｃ１３］前記音声モジュールは、前記決定的パケットおよび前記第1の非決定的パケットのみを前記送受信機に供給するように構成されている、Ｃ9のシステム。
［Ｃ１４］前記音声モジュールは、前記決定的パケットのみを前記送受信機に供給するように構成されており、前記送受信機は、前記第1の非決定的パケットを生成するように構成されている、Ｃ9のシステム。
［Ｃ１５］前記送信手段は、前記通信内のP番目ごとのパケットが送信のために運ばれることを確実にすることをさらなる目的とする、Ｃ9のシステム。
［Ｃ１６］前記送信手段は、現在のパケットが非決定的パケットである場合のみ、現在のパケットが前記通信内のP番目のパケットであるかどうか判断するように構成されている、Ｃ15のシステム。
［Ｃ１７］ワイヤレス通信ネットワークにおいて音声を表わすパケットを選択的に送信する方法であって、
前記通信ネットワークにおけるデバイス相互間のマルチサイド通信の1つのサイドの音声を表わすデータパケットを供給することと、ここにおいて、前記データパケットは、決定的音声を表わす第1のデータパケットと非決定的音声を表わす第2のデータパケットとを含んでいる、
所望の送信タイミングに基づいて、前記第2のデータパケットのうちの1つによって占有される前記会話内の時間の期間中に第3のデータパケットを送信すべきかどうか判断することと；
前記所望の送信タイミングに合致するとき前記第3のデータパケットを送信することと、および；
前記第1のデータパケットを送信することと
を具備する方法。
［Ｃ１８］前記第3のデータパケットは、前記会話の実際の音声を表わす第2のデータパケットである、Ｃ17の方法。
［Ｃ１９］前記第3のデータパケットを生成することをさらに具備するＣ17の方法。
［Ｃ２０］前記第3のデータパケットは、次のもののうちの1つである、Ｃ19の方法：
すべて0、すべて1、新しく生成されたサイレンスディスクリプタ、以前に生成されたサイレンスディスクリプタの繰り返し、以前に送信された背景パケットの繰り返し。
［Ｃ２１］前記所望の送信タイミングに合致するとき前記第3のデータパケットを送信することは、前記第3のデータパケットがカウンタを使用して判断されるものとしてのP番目のパケットであるとき前記第3のデータパケットを送信することを具備する、Ｃ17の方法。
［Ｃ２２］前記第3のデータパケットがP番目のパケットであるかどうか判断するために、周期値Ｐを受信し、前記値Pを使用することをさらに具備するＣ21の方法。
［Ｃ２３］前記所望の送信タイミングに合致するとき前記第3のデータパケットを送信することは、別の第3のデータパケットの前記送信または前記第1のデータパケットのうちの1つの前記送信の後、前記第2のデータパケットによって占有される時間の個数が予め定めた数に達するとき、前記第3のデータパケットを送信することを具備する、Ｃ17の方法。
［Ｃ２４］前記通信内の現在のデータパケットが第1のデータパケットまたは第2のデータパケットのいずれであるかの表示を供給することをさらに具備するＣ17の方法。
［Ｃ２５］プロセッサ可読媒体上に存在し、プロセッサ可読命令を具備するコンピュータプログラム製品であって、前記命令は、次のことをプロセッサにさせるように構成されている、コンピュータプログラム製品：
前記通信ネットワークにおけるデバイス相互間のマルチサイド通信の1つのサイドの音声を表わすデータパケットを供給することと、ここにおいて、前記データパケットは、決定的音声を表わす第1のデータパケットと非決定的音声を表わす第2のデータパケットとを含んでいる、
所望の送信タイミングに基づいて、前記第2のデータパケットのうちの1つによって占有される前記会話内の時間の期間中に第3のデータパケットを送信すべきかどうか判断することと；
前記所望の送信タイミングに合致するとき前記第3のデータパケットを送信することと、および；
前記第1のデータパケットを送信すること。
［Ｃ２６］前記第3のデータパケットは、前記会話の実際の音声を表わす第2のデータパケットである、Ｃ25のコンピュータプログラム製品。
［Ｃ２７］前記第3のデータパケットを生成することを前記プロセッサにさせるように構成されている命令をさらに具備するＣ25のコンピュータプログラム製品。
［Ｃ２８］前記第3のデータパケットは、次のもののうちの1つである、Ｃ27のコンピュータプログラム製品：
すべて0、すべて1、新しく生成されたサイレンスディスクリプタ、以前に生成されたサイレンスディスクリプタの繰り返し、以前に送信された背景パケットの繰り返し。
［Ｃ２９］前記所望の送信タイミングに合致するとき前記第3のデータパケットを送信することを前記プロセッサにさせるように構成されている前記命令は、前記通信内のP番目のパケットを判断することと、および前記第3のデータパケットがP番目のパケットであるとき前記第3のデータパケットを送信することとを前記プロセッサにさせるように構成されている、Ｃ27のコンピュータプログラム製品。
［Ｃ３０］前記所望の送信タイミングに合致するとき前記第3のデータパケットを送信することを前記プロセッサにさせるように構成されている前記命令は、別の第3のデータパケットの前記送信または前記第1のデータパケットのうちの1つの前記送信の後、前記第2のデータパケットによって占有される時間の個数が予め定めた数に達するとき、前記第3のデータパケットを送信することを前記プロセッサにさせるように構成されている、Ｃ25のコンピュータプログラム製品。
［Ｃ３１］前記通信内の現在のデータパケットが第1のデータパケットまたは第2のデータパケットのいずれであるかの表示を供給することを前記プロセッサにさせるように構成されている命令をさらに具備するＣ25のコンピュータプログラム製品。
【図１】
0005425927.tif 000002
【図２】
0005425927.tif 000003
【図３】
0005425927.tif 000004
【図４】
0005425927.tif 000005
【図５】
0005425927.tif 000006
【図６Ａ】
0005425927.tif 000007
【図６Ｂ】
0005425927.tif 000008
【図６Ｃ】
0005425927.tif 000009
【図６Ｄ】
0005425927.tif 000010
【図６Ｅ】
0005425927.tif 000011
【図７】
0005425927.tif 000012
【図８】
0005425927.tif 000013